(57)【要約】【課題】カードに記憶すべき情報が正常に記憶されているか否かについてカードを発送する前に検査することができるカード検査装置を提供する。【解決手段】カードを特定するカード識別情報とカードに記憶される発行データとを対応付けて記憶する発行データ記憶部と、発行データとカード識別情報とが記憶されたカードから発行データとカード識別情報とを読み出す読み出し部と、読み出し部が読み出したカード識別情報に対応する発行データを発行データ記憶部から読み出し、発行データ記憶部から読み出された発行データと読み出し部によって読み出された発行データとを比較する比較部と、比較部の比較結果を出力する出力部とを有する。【選択図】  図１
2004287586.tif 000002
【特許請求の範囲】
【請求項１】
カードを特定するカード識別情報とカードに記憶される発行データとを対応付けて記憶する発行データ記憶部と、
発行データとカード識別情報とが記憶されたカードから発行データとカード識別情報とを読み出す読み出し部と、
前記読み出し部が読み出したカード識別情報に対応する発行データを前記発行データ記憶部から読み出し、前記発行データ記憶部から読み出された発行データと前記読み出し部によって読み出された発行データとを比較する比較部と、
を有することを特徴とするカード検査装置。
【請求項２】
第１の記録媒体と第２の記録媒体とを有するカードの検査を行うためのカード検査装置であって、
前記第１の記録媒体に記憶された発行データと前記第２の記録媒体に記憶された発行データとを読み出す読み出し部と、
前記読み出し部によって読み出した、前記第１の記録媒体に記憶された発行データと前記第２の記録媒体に記憶された発行データとを比較する比較部と、
を有することを特徴とするカード検査装置。
【請求項３】
前記カードを取り付ける台紙に印刷された情報を読み取る台紙読み取り部と、
前記台紙読み取り部が読み取った情報から台紙情報を抽出する抽出部と、
前記読み出し部が読み出した発行データと前記抽出部が抽出した台紙情報とを比較する第２の比較部と、
前記第２の比較部の比較結果において、前記発行データと前記台紙情報とが一致した場合に、前記カードを前記台紙に取り付けるカード取付部と、
を有することを特徴とする請求項１または請求項２記載のカード検査装置。
【請求項４】
前記第２の比較部は、前記カードが前記台紙に取り付けされた後、前記カードが取り付けられた台紙から前記台紙読み取り部によって台紙に印刷された情報を読み出し、読み出した情報から前記抽出部によって台紙情報を抽出するとともに、前記読み出し部によって前記台紙に取り付けられたカードから発行データを読み出し、抽出された台紙情報と読み出された発行データとを比較することを特徴とする請求項３記載のカード検査装置。
【請求項５】
発行データとカード識別情報とが記憶されたカードから発行データとカード識別情報とを読み出し、
カード識別情報と発行データとを対応付けて記憶された発行データ記憶部から読み出したカード識別情報に対応する発行データを読み出し、
発行データ記憶部から読み出した発行データとカードから読み出した発行データとを比較することを特徴とするカード検査方法。
【請求項６】
第１の記録媒体と第２の記録媒体とを有するカードの検査を行うためのカード検査装置に用いられるカード検査方法であって、
前記第１の記録媒体に記憶された発行データと前記第２の記録媒体に記憶された発行データとを読み出し、
前記第１の記録媒体から読み出された発行データと前記第２の記録媒体から読み出された発行データとを比較することを特徴とするカード検査方法。
【請求項７】
発行データとカード識別情報とが記憶されたカードから発行データとカード識別情報とを読み出すステップと、
カード識別情報と発行データとを対応付けて記憶された発行データ記憶部から読み出したカード識別情報に対応する発行データを読み出すステップと、
発行データ記憶部から読み出した発行データとカードから読み出した発行データとを比較するステップと、
をコンピュータに実行させること特徴とするカード検査プログラム。
【請求項８】
第１の記録媒体と第２の記録媒体とを有するカードの検査を行うためのカード検査装置に用いられるカード検査方法であって、
前記第１の記録媒体に記憶された発行データと前記第２の記録媒体に記憶された発行データとを読み出すステップと、
前記第１の記録媒体から読み出された発行データと前記第２の記録媒体から読み出された発行データと比較するステップと、
をコンピュータに実行させることを特徴とするカード検査方法。
【発明の詳細な説明】
【０００１】
【発明の属する技術分野】
この発明は、カードに記憶された情報が正常であるか否かを、カードを顧客に発送する前において検査するカード検査装置、カード検査方法、カード検査プログラムに関するものである。
【０００２】
【従来の技術】
従来から、キャッシュサービスを提供する為のカードや会員証として、磁気カードやＩＣカードなどが利用されている。これらのカードは、会員ＩＤや氏名、住所など、必要となる会員情報が予め記憶されたのち、カードの発送先が印刷された台紙に取り付けられ、封筒内に封入され、各会員に発送される。
このようなカードを顧客に発送する前に、カードの品質を検査するためのシステムとして、ＩＣカードの通信特性（周波数特性、出力特性など）を検査するシステムがある。また、磁気カードにおいては、磁気の読み取り試験を行い出力特性を検査するシステムがある。
【０００３】
また、ＩＣカードを顧客に発送する前にＩＣカードに各種情報を書き込むシステムがある（例えば、特許文献１参照）。
【０００４】
【特許文献１】
特許第３１９９８２０号明細書
【０００５】
このような従来技術においては、ＩＣカードの通信特性や磁気カードの出力特性については、会員に発送される前に検査されるので、カードの特性が所定のレベルを満たした状態で発送することが可能であり、これにより、通信エラーや読み取りエラーが発生する確率を低減することが可能である。
また、カードを発送する前に予め必要な情報を書き込んでおくことにより、１枚のカードを複数のカード会社について利用することが可能である。
【０００６】
【発明が解決しようとする課題】
しかしながら、従来技術においては、ＩＣカードや磁気カードの特性が所定レベル以上の条件を満たしたカードについて発送されるので、カードの機能は正常であるが、カードに記憶すべき情報が正常に記憶された状態で発送されているか否かについては、把握されていない。
また、発送されたカードは、発送対象以外の会員に発送されてしまうことを防止するために、発送対象の会員宛に送付するための住所が印刷された台紙に取り付けられたか否かを管理する必要がある。このように、カードの発行から発送までの一連の工程を管理する必要がある。
一方、特許文献１においては、発送前に情報をカードに記憶させることはできるが、カードに記憶すべき情報が正常に記憶された状態で発送されているか否かについては、把握されていない。
【０００７】
本発明は、このような事情に鑑みてなされたもので、その目的は、カードに記憶すべき情報が正常に記憶されているか否かについてカードを発送する前に検査することができるカード検査装置、カード検査方法、カード検査プログラムを提供することにある。
また、本発明は、台紙に取り付けられたカードと台紙とが一致しているか否かを検査するカード検査装置、カード検査方法、カード検査プログラムを提供することにある。
【０００８】
【課題を解決するための手段】
上記目的を達成するために、本発明は、カードを特定するカード識別情報とカードに記憶される発行データとを対応付けて記憶する発行データ記憶部と、発行データとカード識別情報とが記憶されたカードから発行データとカード識別情報とを読み出す読み出し部と、前記読み出し部が読み出したカード識別情報に対応する発行データを前記発行データ記憶部から読み出し、前記発行データ記憶部から読み出された発行データと前記読み出し部によって読み出された発行データとを比較する比較部と、を有することを特徴とする。
【０００９】
また、本発明は、第１の記録媒体と第２の記録媒体とを有するカードの検査を行うためのカード検査装置であって、前記第１の記録媒体に記憶された発行データと前記第２の記録媒体に記憶された発行データとを読み出す読み出し部と、前記読み出し部によって読み出した、前記第１の記録媒体に記憶された発行データと前記第２の記録媒体に記憶された発行データとを比較する比較部と、を有することを特徴とする。
【００１０】
また、本発明は、前記カードを取り付ける台紙に印刷された情報を読み取る台紙読み取り部と、前記台紙読み取り部が読み取った情報から台紙情報を抽出する抽出部と、前記読み出し部が読み出した発行データと前記抽出部が抽出した台紙情報とを比較する第２の比較部と、前記第２の比較部の比較結果において、前記発行データと前記台紙情報とが一致した場合に、前記カードを前記台紙に取り付けるカード取付部と、を有することを特徴とする。
【００１１】
また、本発明は、前記第２の比較部は、前記カードが前記台紙に取り付けされた後、前記カードが取り付けられた台紙から前記台紙読み取り部によって台紙に印刷された情報を読み出し、読み出した情報から前記抽出部によって台紙情報を抽出するとともに、前記読み出し部によって前記台紙に取り付けられたカードから発行データを読み出し、抽出された台紙情報と読み出された発行データとを比較することを特徴とする。
【００１２】
また、本発明は、発行データとカード識別情報とが記憶されたカードから発行データとカード識別情報とを読み出し、カード識別情報と発行データとを対応付けて記憶された発行データ記憶部から読み出したカード識別情報に対応する発行データを読み出し、発行データ記憶部から読み出した発行データとカードから読み出した発行データとを比較することを特徴とする。
【００１３】
また、本発明は、第１の記録媒体と第２の記録媒体とを有するカードの検査を行うためのカード検査装置に用いられるカード検査方法であって、前記第１の記録媒体に記憶された発行データと前記第２の記録媒体に記憶された発行データとを読み出し、前記第１の記録媒体から読み出された発行データと前記第２の記録媒体から読み出された発行データとを比較することを特徴とする。
【００１４】
また、本発明は、発行データとカード識別情報とが記憶されたカードから発行データとカード識別情報とを読み出すステップと、カード識別情報と発行データとを対応付けて記憶された発行データ記憶部から読み出したカード識別情報に対応する発行データを読み出すステップと、発行データ記憶部から読み出した発行データとカードから読み出した発行データとを比較するステップと、をコンピュータに実行させること特徴とする。
【００１５】
また、本発明は、第１の記録媒体と第２の記録媒体とを有するカードの検査を行うためのカード検査装置に用いられるカード検査方法であって、前記第１の記録媒体に記憶された発行データと前記第２の記録媒体に記憶された発行データとを読み出すステップと、前記第１の記録媒体から読み出された発行データと前記第２の記録媒体から読み出された発行データと比較するステップと、をコンピュータに実行させることを特徴とする。
【００１６】
【発明の実施の形態】
以下、本発明の一実施形態によるカード検査装置を図面を参照して説明する。図１は、この発明の一実施形態によるカード検査装置１を適用したカード検査システムの構成を示す概略ブロック図である。
この図において、カード検査装置１は、登録用端末２に接続されている。この接続は、インターネットや専用線、公衆回線などのネットワークをいずれか１つもしくは複数が利用される。
登録用端末２は、発行されるカードに記憶するための発行データをカード作成依頼業者から予め受け取って記憶しており、記憶した発行データをカード検査装置１の発行データ記憶部１１に記憶する。この発行データをカード作成依頼業者から受け取る方法としては、カード作成依頼業者の端末から受信して記憶するようにしてもよく、また、記録媒体に記憶された発行データをカード作成依頼業者から受け取り、登録用端末２によって読み出して記憶するようにしてもよい。
ここで、‘発行データ’とは、発行されるカードの記憶領域に記憶可能な情報であり、例えば、カード発券者コード、カードの種類を特定する券種コード、カードが作成されたロットを示すロット番号、カード３に固有に記憶される読み取りデータ等が含まれる。なお、後述するカード検査処理を行った検査結果に関する情報が追加されて記憶される。また、この発行データの一部または全部がカードの記録媒体に記憶される。
また、この実施形態において、「発行」とは、カード等の記録媒体に個人情報や共通情報を書き込む処理のことであり、「発送」とは、発行されたカードを顧客に送ることをいう。
【００１７】
カード３は、カードを利用する会員に発送するためのカードであり、発行データが記憶され、カード検査装置１によってカード検査処理が行われた後に会員に発送される。また、このカード３は、発行データの一部または全部を記憶するための記録媒体が設けられており、例えば、接触式・非接触式のＩＣカードに相当する。また、発行データを記録できるものであれば、ＩＣカード以外に、磁気テープ等の記憶媒体が設けられた磁気カードであってもよく、また、ＩＣカードと磁気カードとが１つのカードに組み合わされていてもよい。また、発行データを記憶させる方法として、カード３の表面にエンボス加工や印刷を行うことによって記憶させるようにしてもよい。
【００１８】
ここで、カード３によっては、磁気テープ、ＩＣ、エンボス加工、券面印刷などが券種に応じて様々に組み合わされて１枚のカード設けられるので、券種コードを特定することにより、磁気テープ、ＩＣ、エンボス加工、券面印刷のいずれの方法によって情報が記憶されているかを特定することが可能である。また、この券種コードに応じてカード識別情報（後述する）がどの記憶領域に記憶されているか予め決められているので、券種コードに基づいて、カード識別情報の記憶領域を特定し、読み出すことが可能である。また、券種によっては、台紙に取付が不要な種類もあるので、券種コードと台紙に取り付けるか否かの情報とを対応付けて予め記憶されたテーブルを参照することにより、券種コードに基づいて台紙に取り付けるか否かを特定することが可能である。
【００１９】
カード検査装置１において、発行データ記憶部１１は、カード３を特定するためのカード識別情報とカードに記憶される発行データとを登録用端末２から受信し、カード識別情報と発行データとを対応付けて記憶する。ここでいう‘カード識別情報’とは、カードを識別するための情報である。以下、カード識別情報をカードＩＤと称す。
検査対象カード指定部１２は、作業者からの指示に基づいて、検査対象となるカードを指定するための検査対象情報を比較部１４に出力する。
読み出し部１３は、発行データに基づいて作成され検査対象となるカード３からカードＩＤとカード３に記憶された発行データとを読み出す。この発行データおよびカードＩＤは、磁気テープに記憶された磁気記憶領域、接触式ＩＣに記憶された接触式ＩＣ記憶領域、非接触式ＩＣに記憶された非接触式ＩＣ記憶領域、カード３の券面に印刷されたバーコード、券面に印刷されるデザインとなるカード画像等のうちのいずれか１つまたは複数に分散されて記憶される。カード３のどの記憶領域に発行データとカードＩＤが記憶されているかについては、カード券種コードに応じて読み出すべき記憶領域が対応付けられて記憶されたテーブルが予め読み出し部１３に設けられており、このテーブルを参照することにより、読み出す記憶領域を特定することが可能である。
【００２０】
比較部１４は、検査対象カード指定部１２から指定された検査対象情報に対応する発行データを発行データ記憶部１１から読み出し、発行データ記憶部１１から読み出された発行データと読み出し部１３によって読み出された発行データとを比較する。
出力部１５は、ＣＲＴ（Ｃａｔｈｏｄｅ  Ｒａｙ  Ｔｕｂｅ）や液晶表示装置などの表示装置、スピーカなどの音声出力装置であり、比較部１４の比較結果を出力する。この出力部１５から比較結果を出力することにより、作業員にエラーを通知することが可能である。
【００２１】
台紙読み取り部１６は、カードを取り付ける台紙に印刷された情報を読み取り、画像データとして抽出部１７に出力する。この読み取りは、ＯＣＲ（Ｏｐｔｉｃａｌ  Ｃｈａｒａｃｔｅｒ  Ｒｅｃｏｇｎｉｔｉｏｎ）によって行われる。なお、デジタルカメラによって撮像するようにしてもよい。
ここでいう‘台紙’とは、カード３を会員宛に送付する際にカードが取り付け可能であり、必要に応じて封筒に封入可能な大きさに折りたたまれ、封筒内に封入され、送付されるものであり、台紙情報が印刷される。ここでいう‘台紙情報’とは、カード３の発送対象を特定するための情報であり、カードＩＤ、カード３を送付する送付先の住所、氏名、カード３の所有者となる会員の氏名等、が含まれる。
【００２２】
抽出部１７は、台紙読み取り部１６から出力される画像データから台紙情報を抽出する。
第２の比較部１８は、カード３と台紙との整合性をチェックする機能を有する。具体的には、第２の比較部１８は、読み出し部１３が読み出した発行データと抽出部１７が抽出した台紙情報とを比較する機能を有する。さらに、第２の比較部１８は、後述する台紙整合性検査指示部２０からの指示に基づいて、カード３が台紙に取り付けされた後、カード３が取り付けられた台紙から台紙読み取り部１６によって画像データを読み出し、読み出した画像データから抽出部１７によって台紙情報を抽出するとともに、読み出し部１３によって台紙に取り付けられたカード３から発行データを読み出し、抽出された台紙情報と読み出された発行データとを比較する機能を有する。すなわち、第２の比較部１８は、台紙に取り付けられる前のカード３から読み取られた発行データとカード３の取り付け対象の台紙の台紙情報とを比較する機能と、台紙に取り付けられた後のカード３から読み取られた発行データとカード３が取り付けられた台紙の台紙情報とを比較する機能とを有する。
【００２３】
カード取付部１９は、第２の比較部１８の比較結果に基づいて、取り付け前のカード３のカード識別情報とカード３を取り付ける対象となる台紙情報とが一致した場合に、カード３を台紙に取り付ける。この取り付けは、粘着テープや糊などの粘着部材を用いてカード３を台紙に貼り付けたり、台紙に予め設けられた切り込みにカード３を挟み込んだりすることによって行われる。
【００２４】
台紙整合性検査指示部２０は、カード３が台紙に取り付けられた後、取り付けられたカード３と台紙とが一致しているか否かを検出するための処理を行わせる指示を読み出し部１３と台紙読み取り部１６と第２の比較部１８とに出力する。このカード３と台紙とが一致しているか否かの検出は、例えば、カード３を発送した対象となる会員と台紙に印刷された内容（送付先住所、氏名、発送対象の会員氏名、バーコード情報）とが一致しているか否かを検出することによって行われる。
【００２５】
次に、図１の構成におけるカード検査装置１の動作について、図２のフローチャートを用いて説明する。
まず、カード検査装置１を操作する作業者によって、登録用端末２に発行データを登録する指示が入力されると（ステップＳ１）、登録用端末２は、予め登録された条件に従い、カードＩＤと発行データとを対応付けて発行データ記憶部１１に登録する（ステップＳ２）。
【００２６】
次に、検査対象カード指定部１２を介し作業者から、検査対象のカード群のカードＩＤ、券種コード、発行者、ロット番号が入力され、検査開始の作業指示が入力されると（ステップＳ３）、比較部１４は、検査対象カード指定部１２を介して指定されたカードＩＤ、券種コード、発行者、ロット番号に該当する発行データを発行データ記憶部１１から読み出す（ステップＳ４）。ここでは、読み出しが指示された複数のカード３についての発行データが読み出され、発行データリストとして比較部１４に一時記憶される（ステップＳ５）。そして、作業者によってカード検査装置１に検査するべくカード３が投入されると（ステップＳ６）、読み出し部１３は、投入されたカード３の記憶領域から券種コードを読み出し、読み出した券種コードに基づいて、磁気記憶領域、接触式ＩＣ記憶領域、非接触式ＩＣ記憶領域、バーコード、カード画像のうち、どの情報について読み出すべきかテーブルを参照して読み取りパターンを決定し（ステップＳ７）、決定された読み取りパターンに従って、カード３から発行データとカードＩＤとを読み出し（ステップＳ８）、読み出した発行データとカードＩＤとを一時記憶する（ステップＳ９）。
【００２７】
次に、比較部１４は、カード３から読み取った発行データの中からロット番号、カード発券者コード、読み取りデータを抽出する。そして、発行データ記憶部１１から読み出した発行データのうち、カード３から読み出したカードＩＤに対応する発行データを発行データリストの中から特定し、特定した発行データとカード３から読み出した発行データとを比較する（ステップＳ１０）。この比較は、券種コード、ロット番号、カード発券者コード、読み取りデータについて、それぞれ一致するか否かが比較される。
【００２８】
比較部１４は、比較結果において、発行データ記憶部１１に記憶されている券種コード、ロット番号、カード発券者コード、読み取りデータと、カード３から読み出した券種コード、ロット番号、カード発券者コード、読み取りデータとが一致していない場合（ステップＳ１１−ＮＯ）、検査結果「エラー」を示す検査済みファイルを作成し、カードＩＤに対応づけて発行データ記憶部１１に記憶するとともに、カード検査装置１の外部に排出させる（ステップＳ１２）。
【００２９】
一方、検出結果が一致する場合（ステップＳ１１―ＹＥＳ）、比較部１４は、台紙に取付必要であるか否かについてテーブルを参照し券種コードに基づいて検出する（ステップＳ１３）。台紙に取り付ける必要がない場合（ステップＳ１３―ＮＯ）、比較部１４は、検査結果「異常なし」を示す検査済みファイルを作成し（ステップＳ１４）、カードＩＤに対応付けて発行データ記憶部１１に記憶する（ステップＳ１５）。この作成される検査済みファイルの内容としては、検査情報、検査日時、検査結果を登録した日時、検査結果がエラーか異常なしであるかを示す検査状態フラグ、検査条件ファイル名などが含まれる。
【００３０】
他方、比較部１４は、台紙に取り付ける必要がある場合（ステップＳ１３−ＹＥＳ）、カード搬送装置によってカード取付部１９にカード３を搬送させる。カード３が搬送されると、カード検査処理が行われているカードの順序に応じて予め印刷され重ねられてある台紙の束の中から、台紙搬送装置によって順に台紙がカード取付部１９に搬送される。
【００３１】
台紙読み取り部１６は、カード取付部１９に搬送された台紙に印刷されている画像データを読み取る（ステップＳ１６）。この読み取りが行われると、抽出部１７は、読み取られた画像データから台紙情報を抽出し、第２の比較部１８に出力する。
【００３２】
第２の比較部１８は、比較部１４に一時記憶された発行データのうちカード搬送装置によってカード取付部１９に搬送されたカード３に対応する発行データと抽出部１７から出力された台紙情報とを比較する（ステップＳ１７）。この比較は、発行データの読み取りデータに含まれるカード３の送付先の住所、氏名、カード３の所有者の氏名、券面に印刷されるバーコード情報と、台紙情報に含まれるカードの住所、氏名、カード３の所有者となる会員の氏名、台紙に印刷されるバーコード情報とが比較される。
【００３３】
そして、第２の比較部１８は、比較結果が一致していない場合（ステップＳ１８−ＮＯ）、エラー通知を行う（ステップＳ１９）。
一方、比較結果が一致している場合（ステップＳ１８−ＹＥＳ）、第２の比較部１８は、カード取付部１９に取り付け指示をする。カード取付部１９は、第２の比較部１８からの取り付け指示に基づいて、カード３を台紙に取り付ける（ステップＳ２０）。取り付けが終わると、台紙整合性検査指示部２０は、読み出し部１３と台紙読み取り部１６に読み取り指示をするとともに、第２の比較部１８に比較指示をする。
【００３４】
読み出し部１３は、台紙整合性検査指示部２０から読み取り指示に基づいて、台紙に取り付けられたカード３から発行データを読み出し、第２の比較部１８に出力する。台紙読み取り部１６は、台紙整合性検査指示部２０から読み取り指示に基づいて、カード３が取り付けられた台紙から印刷された情報を読み出し、抽出部１７に出力する。抽出部１７は、台紙整合性検査指示部２０から出力された情報から台紙情報を抽出し、第２の比較部１８に出力する。第２の比較部１８は、読み出し部１３から出力された発行データと抽出部１７から出力された台紙情報とを比較する（ステップＳ２１）。
【００３５】
比較結果が一致しない場合（ステップＳ２２−ＮＯ）、第２の比較部１８は、カード３が取り付けられた台紙をエラーとして排出するように搬送装置に指示する。これにより、カード３が取り付けられた台紙は、エラーとして排出される（ステップＳ２３）。そして第２の比較部１８は、検査結果「カードと台紙が一致しない」を示す検査結果ファイルを作成し（ステップＳ１４）、検査結果を発行データに対応付けて発行データ記憶部１１に記憶する（ステップＳ１５）。
【００３６】
一方、比較結果が一致する場合（ステップＳ２２−ＹＥＳ）、第２の比較部１８は、カード３が取り付けられた台紙を発送工程に搬送するように搬送装置に指示する。カード３が取り付けられた台紙は、搬送装置によって発送加工処理によって封筒に封入されたのち（ステップＳ２４）、発送処理工程に搬送される。そして、第２の比較部１８は、検査結果「カードと台紙の整合性異常なし」を示す検査結果ファイルを作成し（ステップＳ１４）、検査結果を発行データに対応付けて発行データ記憶部１１に記憶する（ステップＳ１５）。
【００３７】
なお、以上説明した実施形態において、比較部１４は、検査対象カード指定部１２から指定された検査対象情報に対応する発行データを発行データ記憶部１１から読み出すようにしたが、読み出し部１３が読み出したカードＩＤに対応する発行データを発行データ記憶部１１から読み出し、発行データ記憶部１１から読み出された発行データと読み出し部１３によって読み出された発行データとを比較するようにしてもよい。これにより、検査対象カード指定部１２を設けることなくカード検査装置１を実現することができ、装置を簡略化することができる。
【００３８】
なお、上述した実施形態において、発行データをカード検査装置１に提供する場合について、ネットワークを介して登録用端末２からカード検査装置１に送信する場合について説明したが、発行データをカード検査装置１に提供することができれば、装置間を接続して発行データを送信する必要はない。例えば、発行データが記憶された記録媒体をカード検査装置１に読み込ませることにより、発行データを提供するようにしてもよい。
【００３９】
なお、上述の実施形態において、読み出し部１３をＩＣカードリーダライタに換えて、カードに記憶された情報を確認する以外に、カード３へコマンド送信を行い、カード３が所定の動作を行うことができるか否かについて検査するようにしてもよい。
また、上述の実施形態においては、券種コードに応じて発行データを読み出す記憶領域を特定し、発行データを読み出すようにしたので、ＩＣカードや磁気カードといった特定の機能のみを検査するわけでなく、磁気テープが取り付けられたＩＣカードなど、様々な券種のカードにも汎用的に検査を行うことができる。
【００４０】
また、上述の実施形態においては、発行されたカード３を検査することを目的としているが、一枚ごとのカード３について検査済みファイルを作成して発行データ記憶部１１に記憶するようにしたので、カードの発行処理の進捗管理を行うことも可能である。
【００４１】
また、上述した実施形態においては、比較部１４は、発行データ記憶部１１から読み出した発行データと読み出し部１３によって読み出された発行データとを比較する場合について説明したが、カード３に記憶された情報のみで整合性を検査するようにしてもよい。例えば、カード３が、磁気テープなどの記録媒体（上述した第１の記録媒体に相当）とＩＣチップなどの記録媒体（上述した第２の記録媒体に相当）とが設けられている場合、このカード３の磁気テープに記憶された情報とＩＣチップに記憶された情報を読み出し部１３によってそれぞれ読み出す。そして、読み出されたそれぞれの情報を比較部１４によって比較し、一致していない場合にエラーとし、一致する場合に、図２ステップＳ１３以降の処理を行い、カード３と該カード３が取り付けられた台紙が一致するか等の処理を行い、整合性を検査するようにしてもよい。
これにより、発行データ記憶部１１を設ける必要が無くなるので、構成を簡単にしてカードの整合性を検査することが可能である。
なお、カード３の磁気テープに記憶された情報とＩＣチップに記憶された情報とを比較する場合、それぞれの情報の一部のみを比較するようにしてもよい。
【００４２】
また、上述した実施形態において、台紙に取り付けられるカード３の枚数は、１枚である場合について説明したが、カード３を台紙に複数枚取り付けるようにしてもよい。この場合、台紙に印刷される台紙情報は、台紙に取り付けられる各カード３に関する情報（各カード３のカードＩＤ、複数のカード３が取り付けられた台紙を送付する送付先の住所、氏名など）が含まれる。そして、台紙読み取り部１６によってこの台紙の読み取りを行い、抽出部１７によって、台紙情報を抽出して各カードに関する情報を検出し、第２の比較部１８によって、台紙情報から検出された各カードに関する情報と発行データとを比較する。これにより、１枚の台紙に複数のカードが取り付けられた場合においても、検査が可能である。
また、カード３は、異なる券種のカードが複数組み合わされて、１枚の台紙に取り付けられるようにしてもよい。例えば、磁気カード、ＩＣカードなどを１枚の台紙に取り付けし、上述した検査が可能である。これにより、券種毎にカード検査装置を設けることなく、１台のカード検査装置によって検査を行うことが可能となる。
【００４３】
また、図１における検査対象カード指定部１２、比較部１４、読み出し部１３、出力部１５、台紙読み取り部１６、抽出部１７、第２の比較部１８、カード取付部１９、台紙整合性検査指示部２０の機能を実現するためのプログラムをコンピュータ読み取り可能な記録媒体に記録して、この記録媒体に記録されたプログラムをコンピュータシステムに読み込ませ、実行することによりカード検査処理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４５】
以上、この発明の実施形態を図面を参照して詳述してきたが、具体的な構成はこの実施形態に限られるものではなく、この発明の要旨を逸脱しない範囲の設計等も含まれる。
【００４６】
【発明の効果】
以上説明したように、この発明によれば、カードから発行データとカード識別情報とを読み出し、読み出したカード識別情報に対応する発行データを発行データ記憶部から読み出し、発行データ記憶部から読み出された発行データと読み出し部によって読み出された発行データとを比較するようにしたので、カードに記憶すべき情報が正常に記憶されているか否かについて、カードを発送する前に検査することができ、これにより、誤った情報が記憶されたまま発送されてしまうことを防止することができる。
【００４７】
また、本発明は、１枚のカードに設けられた第１の記録媒体から読み出した情報と第２の記録媒体から読み出された情報とを比較するようにしたので、検査装置の構成を簡略化して、カードの検査を行うことが可能となる。
【００４８】
また、本発明は、台紙に印刷された情報を読み取って、台紙情報を抽出し、カードから読み出された発行データと台紙情報とを比較し、発行データと台紙情報とが一致した場合に、カードを台紙に取り付けるようにしたので、カードの発行対象者に該当する固有の情報が印刷された台紙とカードとを一致させて取り付けすることができるので、カードを発行対象者が異なる台紙にカードを取り付けてしまうことを防止することができる。
【００４９】
また、本発明は、カードが台紙に取り付けされた後、カードが取り付けられた台紙から台紙に印刷された情報を読み出し、読み出した情報から台紙情報を抽出し、さらに、台紙に取り付けられたカードから発行データを読み出し、抽出された台紙情報と読み出された発行データとを比較するようにしたので、カードと台紙とが一致しているか否かを検査することができ、これにより、カードと台紙が一致していないまま発送されてしまうことを防止することができる。
【図面の簡単な説明】
【図１】この発明の一実施形態によるカード検査装置１を適用したカード検査システムの構成を示す概略ブロック図である。
【図２】図１の構成におけるカード検査装置１の動作について説明するためのフローチャートである。
【符号の説明】
１  カード検査装置                  ２  登録用端末
３  カード                          １１  発行データ記憶部
１２  検査対象カード指定部          １３  読み出し部
１４  比較部                        １５  出力部
１６  台紙読み取り部                １７  抽出部
１８  第２の比較部                  １９  カード取付部
２０  台紙整合性検査指示部
【図１】
2004287586.tif 000003
【図２】
2004287586.tif 000004